(57)【要約】【課題】より簡素な構成によって部品が部品収容部から離脱するのを抑制することが可能な電子機器を得る。【解決手段】電子機器１は、部品としてのＨＤＤユニット９が収容される部品収容部としての凹部８が形成された第一の本体部２と、凹部８に臨む状態で第一の本体部２に設けられ、ＨＤＤユニット９の一端部に設けられたコネクタが装着されるコネクタ１０と、第一の本体部２に設けられ、ＨＤＤユニット９の他端部に設けられた係合部１５と係合する被係合部１４と、を備える。【選択図】図２
2011138203.tif 000002
【特許請求の範囲】
【請求項１】
部品が収容される部品収容部が形成された本体部と、
前記部品収容部に臨む状態で前記本体部に設けられ、前記部品の一端部に設けられた第一のコネクタが装着される第二のコネクタと、
前記本体部に設けられ、前記部品の他端部に設けられた係合部と係合する被係合部と、
を備えたことを特徴とする電子機器。
【請求項２】
前記部品収容部が前記本体部に凹部として形成され、
前記凹部の前記第二のコネクタの反対側となる位置に、前記部品に設けられたブラケット部を当接させる段部が形成され、
前記段部に、前記ブラケット部に形成された前記係合部が係合される前記被係合部が形成されたことを特徴とする請求項１に記載の電子機器。
【請求項３】
前記段部に、前記第一のコネクタと前記第二のコネクタとの装着方向に沿って前記係合部を相対的にガイドするガイド部が形成されたことを特徴とする請求項１または２に記載の電子機器。
【請求項４】
前記部品収容部は、前記本体部の筐体の外面の曲がった部分に開口し、
前記筐体に形成された前記部品収容部の開口部を覆う蓋部材が前記筐体に取り付けられた状態で、前記蓋部材の外面が、前記筐体の外面に連なる曲がった形状を呈することを特徴とする請求項１〜３のうちいずれか一つに記載の電子機器。
【請求項５】
請求項１〜４のうちいずれか一つの電子機器で用いられて前記部品収容部に収容される前記部品。
【請求項６】
部品本体部と、
前記部品本体部に対して前記第一のコネクタの設けられた側の反対側に設けられたブラケット部と、
を備え、
前記ブラケット部に、前記被係合部を前記第二のコネクタに対する前記第一のコネクタの装着方向にガイドするガイド部が形成されたことを特徴とする請求項５に記載の部品。
【請求項７】
前記ガイド部が前記ブラケット部にスリットとして形成され、
前記係合部が前記ブラケット部の前記スリットの長手方向端部として形成され、
前記係合部が、フック状に形成され前記スリットにガイドされて相対移動した前記被係合部に係合することを特徴とする請求項６に記載の部品。
【請求項８】
前記ブラケット部に、当該ブラケット部を前記本体部に取り付ける固定具が貫通する貫通部が形成され、
前記貫通部が、前記部品本体部の厚さ方向の視線で、前記装着方向に沿う前記部品本体部の中心線に前記ガイド部よりも近付けて配置されたことを特徴とする請求項６または７に記載の部品。
【請求項９】
前記厚さ方向からの視線で、前記ガイド部が前記中心線から一方側にずらして配置され、前記第一のコネクタが前記中心線から他方側にずらして配置されたことを特徴とする請求項８に記載の部品。
【請求項１０】
前記部品は、前記部品本体部の少なくとも一部を外側から囲うフレームを備え、
前記ブラケット部が、前記フレームに一体化されていることを特徴とする請求項６〜９のうちいずれか一つに記載の部品。
【請求項１１】
前記部品が前記本体部に固定された状態で、前記ブラケット部の前記本体部に当接する部分と前記部品本体部との間となる部分に、作用した荷重によって相対的に変形しやすい易変形部が形成されたことを特徴とする請求項６〜１０のうちいずれか一つに記載の部品。
【発明の詳細な説明】
【技術分野】
【０００１】
本発明は、電子機器および部品に関する。
【背景技術】
【０００２】
従来、部品が本体部に係合されるとともに部品のコネクタが本体部のコネクタに差し込まれた状態で、当該部品が部品収容部に収容される電子機器が知られている（特許文献１）。かかる構成では、部品が本体部に係合することで、当該部品が部品収容部から離脱するのが抑制されている。
【先行技術文献】
【特許文献】
【０００３】
【特許文献１】特開平１１−１９１０２３号公報
【発明の概要】
【発明が解決しようとする課題】
【０００４】
しかしながら、上記特許文献１の電子機器では、部品が係合される被係合部が、部品収容部の相互に対向する両側面に二箇所ずつ合計四箇所設けられているため、装置構成が複雑化しやすく、かつ大型化しやすくなっていた。
【０００５】
そこで、本発明は、より簡素な構成によって部品が部品収容部から離脱するのを抑制することが可能な電子機器および部品を得ることを目的とする。
【課題を解決するための手段】
【０００６】
本発明の電子機器にあっては、部品が収容される部品収容部が形成された本体部と、前記部品収容部に臨む状態で前記本体部に設けられ、前記部品の一端部に設けられた第一のコネクタが装着される第二のコネクタと、前記本体部に設けられ、前記部品の他端部に設けられた係合部と係合する被係合部と、を備えたことを特徴とする。
【発明の効果】
【０００７】
本発明によれば、より簡素な構成によって部品が部品収容部から離脱するのを抑制することができる。
【図面の簡単な説明】
【０００８】
【図１】図１は、本発明の実施形態にかかる電子機器の斜視図である。
【図２】図２は、電子機器の分解斜視図である。
【図３】図３は、電子機器の部品収容部の一部を示す斜視図である。
【図４】図４は、電子機器の部品収容部の一部を示す平面図である。
【図５】図５は、電子機器に装着される部品の斜視図である。
【図６】図６は、部品を別の角度から見た斜視図である。
【図７】図７は、部品のフレームの斜視図である。
【図８】図８は、部品が部品収容部に収容され、コネクタ同士が嵌合する前の状態を示す平面図である。
【図９】図９は、部品が部品収容部に収容され、コネクタ同士が嵌合した状態を示す平面図である。
【図１０】図１０は、電子機器の本体部の内部を示す平面図である。
【図１１】図１１は、本発明の実施形態の変形例にかかる電子機器の部品収容部の一部を示す斜視図である。
【発明を実施するための形態】
【０００９】
以下、図面を参照して、本発明の実施形態について詳細に説明する。なお、本実施形態では、便宜上、電子機器１の使用状態を基準として、第一の本体部２の幅方向（左右方向）をＸ方向、第一の本体部２の奥行方向をＹ方向、第一の本体部２の厚さ方向（上下方向）をＺ方向とする。Ｘ軸、Ｙ軸、およびＺ軸は、相互に直交している。
【００１０】
＜全体構成＞
まずは、図１，２等を参照して、電子機器１の構成の概要について説明する。図１に示すように、本実施形態にかかる電子機器１は、所謂ノート型のパーソナルコンピュータとして構成されており、矩形状の扁平な第一の本体部２と、矩形状の扁平な第二の本体部３と、を備えている。これら第一の本体部２および第二の本体部３は、ヒンジ機構４によって、回動軸Ａｘ回りに図１に示す展開状態と図示しない折り畳み状態との間で相対回動可能に、接続されている。
【００１１】
第一の本体部２には、筐体２ａの外面としての表面２ｂ側に露出する状態で、入力操作部としてのキーボード５が設けられている。一方、第二の本体部３には、筐体３ａの外面としての表面３ｂ側に露出する状態で、ＬＣＤ（Liquid Crystal Display）等のディスプレイ６が設けられている。図１に示す展開状態では、キーボード５やディスプレイ６等が露出し、ユーザが使用可能な状態となる。一方、折り畳み状態では、表面２ｂ，３ｂ同士が相互に近接した状態で対向して、キーボード５やディスプレイ６等が、筐体２ａ，３ａによって隠された状態となる。
【００１２】
図２に示すように、第一の本体部２の下部筐体２Ｄの底壁２ｃには、第一の本体部２の厚さ方向（Ｚ方向）に沿う平面視で矩形状の凹部８が形成されており、この凹部８に、部品としてのＨＤＤ（Hard Disk Drive）ユニット９が収容される。本実施形態では、凹部８が部品収容部に相当する。ＨＤＤユニット９は、扁平な直方体状に構成されている。
【００１３】
凹部８の底面８ａは、平面視で長方形状に形成されている。また、凹部８のＸ方向一端側の側面８ｂには、第二のコネクタとしてのコネクタ１０が配置されている。コネクタ１０は、第一の本体部２の筐体２ａの内部に収容された基板２５（図２には図示せず、図１０参照）に固定され、側面８ｂに形成された開口部２ｆから凹部８内に露出している。本実施形態では、コネクタ１０は、Ｙ方向に沿って長く扁平な雌コネクタとして構成されており、Ｙ方向に沿って並ぶ複数の端子（図示せず）を有している。
【００１４】
凹部８のＸ方向他端側には、段部１３が形成されている。図３にも示すように、段部１３の頂面１３ａの凹部８の開口縁８ｅ（底壁２ｃの外面としての底面２ｄ）からの深さは、底面８ａの開口縁８ｅからの深さより浅い。また、頂面１３ａは、底面８ａと平行であり、Ｙ方向に沿って細長く形成されている。なお、頂面１３ａと底面８ａとの間には凹部８の他端側の側面８ｃ（図３）が形成されている。
【００１５】
ＨＤＤユニット９には、凹部８に収容された状態で段部１３の頂面１３ａに当接するブラケット部１２が設けられている。ブラケット部１２は、平板状に形成されている。また、ＨＤＤユニット９には、ブラケット部１２が設けられた側の反対側に、第一のコネクタとしてのコネクタ１１（図２には図示せず、図５等参照）が設けられている。コネクタ１１は、Ｙ方向に沿って長く扁平な雄コネクタとして構成されており、Ｙ方向に沿って並ぶ複数の端子（図示せず）を有している。コネクタ１１がコネクタ１０に装着されることで、ＨＤＤユニット９の内部の電気回路と第一の本体部２の内部の電気回路とが端子を介して電気的に接続される。なお、コネクタ１０，１１の装着方向は、Ｘ方向に沿っている。
【００１６】
第一の本体部２の段部１３には、フック状の被係合部１４が設けられている。一方、ＨＤＤユニット９のブラケット部１２には、当該ブラケット部１２を上下方向（板状のブラケット部１２の表裏方向）に貫通するスリット１６が形成されている。そして、ＨＤＤユニット９が凹部８に収容され、コネクタ１０，１１同士が嵌合された状態では、スリット１６を上方から下方に貫通した被係合部１４と、スリット１６の長手方向（Ｘ方向）の端縁部である係合部１５とが、相互に係合する。すなわち、本実施形態では、凹部８のＸ方向の一端側で、第一の本体部２のコネクタ１０とＨＤＤユニット９のコネクタ１１とが嵌合した際、Ｘ方向の他端側では、第一の本体部２の被係合部１４にＨＤＤユニット９の係合部１５が係合することになる。つまり、この状態で、ＨＤＤユニット９は、第一の本体部２に、Ｘ方向（コネクタ１０，１１の装着方向）に離れた二点で支持される（両端支持される）。
【００１７】
そして、凹部８は、ＨＤＤユニット９が収容された状態で、蓋部材１７によって覆われる。蓋部材１７は、固定具としてのねじ１８によって、第一の本体部２に固定される。ねじ１８は、蓋部材１７に形成された貫通孔１７ｃ、ならびにブラケット部１２に形成された貫通部としての切欠１２ａを貫通する。すなわち、ねじ１８は、蓋部材１７とともにブラケット部１２をも、第一の本体部２に固定する。なお、ねじ１８が固定される被固定部としての雌ねじ孔１９は、段部１３の頂面１３ａ上に形成されている。また、蓋部材１７には、第一の本体部２に係合される爪部１７ｂが形成されている。この爪部１７ｂを第一の本体部２に係合することで、ねじ１８で蓋部材１７が第一の本体部２に固定される前に、蓋部材１７を第一の本体部２に仮保持することができる。
【００１８】
また、凹部８は、図２に示すように、筐体２ａの外面としての底面２ｄが曲面状に曲がった部分に開口している。そして、蓋部材１７が筐体２ａに取り付けられた状態で、蓋部材１７の外面１７ａは、筐体２ａの底面２ｄに連なる曲がった形状を呈している。すなわち、本実施形態では、筐体２ａの底面２ｄと蓋部材１７の外面１７ａとが、一連の曲面を形成している。このような構成により、蓋部材１７が屈曲した形状となって、蓋部材１７の剛性を高めることができる。また、底面２ｄが平坦で蓋部材１７のみに屈曲部分が形成された構成に比べて、外観上の違和感を減らして、美観の向上を図ることができる。
【００１９】
＜部品収容部の構成＞
次に、図３，４等を参照して、部品収容部としての凹部８の構成について説明する。図４に示すように、凹部８は、第一の本体部２の厚さ方向（Ｚ方向）の視線としての平面視では、Ｘ方向に長くＹ方向に短い長方形状に形成されている。底面８ａの周囲の側面８ｂ，８ｃ，８ｄ，８ｄは、底面８ａに対して垂直である。また、開口縁８ｅの内周側に、開口縁８ｅより一段低い環状段部８ｆが形成されている。この環状段部８ｆ上に、蓋部材１７の周縁部が載置される。筐体２ａは、例えば合成樹脂材料や金属材料等によって成型される。
【００２０】
図３に示すように、被係合部１４は、段部１３の頂面１３ａの側面８ｃとの境界部分に設けられている。被係合部１４は、段部１３の頂面１３ａ上に突出する突出部１４ａと、突出部１４ａの先端部で屈曲されてＸ方向のコネクタ１０の反対側に向けて伸びる爪部１４ｂと、を有している。また、被固定部としての雌ねじ孔１９が、段部１３の頂面１３ａ上に設けられている。
【００２１】
図４に示すように、雌ねじ孔１９は、凹部８のＸ方向に沿う中心線ＣＬ上に配置され、被係合部１４は中心線ＣＬからＹ方向一方側（奥行方向奥側、図４では上側）にずらして配置され、コネクタ１０（の幅方向（Ｙ方向）の中心Ｍ）は中心線ＣＬからＹ方向他方側（奥行方向手前側、図４では下側）にずらして配置されている。
【００２２】
また、図３，４に示すように、段部１３の頂面１３ａには、平面視で矩形状の凹溝部１３ｂが形成されている。この凹溝部１３ｂには、ＨＤＤユニット９のブラケット部１２に形成された爪状突起部１２ｂが収容される。この凹溝部１３ｂは、凹部８のＸ方向に沿う中心線ＣＬを挟んで、被係合部１４の反対側に配置されている。
【００２３】
さらに、図３，４に示すように、段部１３の頂面１３ａには、ブラケット部１２と弾性的に接触する弾性接触部２０が設けられている。本実施形態では、弾性接触部２０は、頂面１３ａを形成する段部１３の天壁１３ｄをＣ字状に取り除くことで、コネクタ１０の反対側（図３，図４では左側）を基端部とするアームとして形成されている。この弾性接触部２０は、コネクタ１０の反対側からコネクタ１０側へ向けて伸びるアーム部２０ａを有する。アーム部２０ａの先端部２０ｂは、頂面１３ａより上方に僅かに突出している。また、先端部２０ｂは、導体で形成されるとともに、図示しない配線を介して筐体２ａの内部のグラウンド電極に電気的に接続されている。
【００２４】
また、図３に示すように、凹部８の底面８ａや側面８ｄ上には、ＨＤＤユニット９が凹部８内に収容された状態で、ＨＤＤユニット９との間に介在する緩衝部材２１が設けられている。緩衝部材２１は、少なくともその一部に、エラストマやスポンジ等の弾性（可撓性）を有する素材からなる部分を有している。緩衝部材２１は、底面８ａや側面８ｄ上に、例えば接着等することで設けることができる。
【００２５】
＜部品の構成＞
次に、図５〜７等を参照して、部品としてのＨＤＤユニット９の構成について説明する。図５，６に示すように、ＨＤＤユニット９の天面９ａおよび底面９ｂは、長方形状に形成されており、ＨＤＤユニット９は、それら天面９ａおよび底面９ｂに垂直な方向（厚さ方向、取り付けられた状態ではＺ方向）に薄く扁平に形成されている。ＨＤＤユニット９が凹部８内に収容された状態では、天面９ａが凹部８の底面８ａに対向し、側面９ｃ，９ｃが凹部８の側面８ｄ，８ｄに対向し、ブラケット部１２の裏面１２ｄが段部１３の頂面１３ａに対向する。そして側面９ｄに設けられたコネクタ１１が、凹部８に臨む第一の本体部２のコネクタ１０に嵌合されて、装着される。コネクタ１０，１１の装着方向は、ＨＤＤユニット９の長手方向（Ｘ方向）に沿っており、図５では右下方向、図６では左下方向である。
【００２６】
ブラケット部１２は、コネクタ１１が設けられた側面９ｄの反対側に位置する側面９ｅの、天面９ａ側から、当該天面９ａに沿って外方に突出している。ブラケット部１２は、平板状に形成されている。ブラケット部１２の先端側の縁には、固定具としてのねじ１８を貫通させる貫通部としての切欠１２ａが形成されている。また、ブラケット部１２には、一定幅でコネクタ１０，１１の装着方向（Ｘ方向）に沿って伸びるスリット１６が形成されている。また、ブラケット部１２には、先端側の縁が底面９ｂ側に切り起こされて爪状突起部１２ｂが形成されている。さらに、ブラケット部１２には、側面９ｅに沿って（Ｙ方向に沿って）細長く伸びるスリット１２ｃが複数形成されている。これら複数のスリット１２ｃにより、他の部位に比べて相対的に変形しやすい易変形部Ｅが形成されている。
【００２７】
また、本実施形態では、ＨＤＤユニット９は、ＨＤＤ２２とフレーム２３とを備えている。図７に示すように、フレーム２３は、囲繞部２４とブラケット部１２とを一体的に有している。囲繞部２４は、Ｃ字状を呈する三つの帯状部２４ａ，２４ｂ，２４ｂを有しており、部品本体部としてのＨＤＤ２２の少なくとも一部を外側から囲っている。これら帯状部２４ａ，２４ｂ，２４ｂは、それぞれＨＤＤ２２の側面に当接する。また囲繞部２４には、ＨＤＤ２２とフレーム２３とを固定する固定具としてのねじ３０（図５，６参照）を挿通する貫通部２４ｄが形成された取付部２４ｃが設けられている。取付部２４ｃは、アーム部２４ｅを介して帯状部２４ｂに接続されている。また、フレーム２３は、例えば金属材料等の導電性材料によって構成されるのが好適である。
【００２８】
＜部品の本体部への取り付け＞
次に、図２，８，９等を参照して、部品としてのＨＤＤユニット９の第一の本体部２への取り付けについて説明する。まず、作業者は、図２に示すように、ＨＤＤユニット９を、凹部８内にＺ方向の下方側から挿入する。図８に示すように、ＨＤＤユニット９が凹部８内に挿入された当初の状態では、ＨＤＤユニット９は凹部８内でコネクタ１０の反対側へ寄せて配置される。また、ブラケット部１２の裏面１２ｄ（図６参照）が段部１３の頂面１３ａと当接し、被係合部１４がスリット１６を貫通する。被係合部１４の幅は、スリット１６の幅より僅かに小さい。
【００２９】
次に、作業者は、ＨＤＤユニット９を、凹部８の奥側（底面８ａ側）に押し付けながら、Ｘ方向のコネクタ１０側（図８および図９では右側）へスライドさせる。すると、図９に示すように、コネクタ１１がコネクタ１０に装着されるとともに、その反対側では、被係合部１４の爪部１４ｂと、スリット１６のコネクタ１１との反対側の端縁部としての係合部１５とが係合する。こうして、ＨＤＤユニット９が凹部８内に収容されて仮保持された状態（固定具としてのねじ１８で固定されていない状態）が得られる。
【００３０】
ＨＤＤユニット９が図８から図９の状態に移動する際、被係合部１４は、スリット１６にガイドされながら、ＨＤＤユニット９に対して相対移動する。すなわち、本実施形態では、スリット１６はガイド部に相当する。被係合部１４の爪部１４ｂはスリット１６の長手方向（Ｘ方向）に沿ってコネクタ１０の反対側に向けて突出している。よって、ＨＤＤユニット９がＺ方向に沿って凹部８内に挿入される際、被係合部１４の爪部１４ｂがブラケット部１２と干渉するのは回避される。そして、作業者がＨＤＤユニット９をスリット１６の長手方向（Ｘ方向）に沿って移動させることで、コネクタ１０，１１が嵌合された状態では、爪部１４ｂがスリット１６から長手方向に張り出す。すなわち、本実施形態では、作業者は、まずは、ＨＤＤユニット９を、Ｚ方向に移動させて凹部８内に挿入し、次いで、Ｘ方向のコネクタ１０側に移動させることで、ＨＤＤユニット９を第一の本体部２に比較的容易に取り付けることができる。なお、ＨＤＤユニット９のコネクタ１０，１１の装着方向（Ｘ方向）への移動に際しては、ＨＤＤユニット９が凹部８の底面８ａや側面８ｄによってもガイドされるようにしてもよい。最終的に、ブラケット部１２は、固定具としてのねじ１８によって第一の本体部２に固定される。しかし、ねじ１８によって固定されていない状態でも、ＨＤＤユニット９は、長手方向の両端側で、第一の本体部２に支持されることになる。したがって、ＨＤＤユニット９を第一の本体部２に新規に取り付ける作業や、メンテナンス等に伴ってＨＤＤユニット９を交換する作業を行う際に、固定具としてのねじ１８をまだ取り付けていない状態、あるいはねじ１８を取り外す前の状態でも、ＨＤＤユニット９が第一の本体部２から脱落して当該ＨＤＤユニット９に損傷等が生じるのを抑制することができる。
【００３１】
また、ＨＤＤユニット９が凹部８内に挿入された当初の状態では、爪状突起部１２ｂが凹溝部１３ｂに挿入される。そして、ＨＤＤユニット９が図８から図９の状態にＸ方向のコネクタ１０側に移動するのに伴って、爪状突起部１２ｂも凹溝部１３ｂに沿ってＸ方向のコネクタ１０側に移動する。そして、図９の状態では、爪状突起部１２ｂは、凹溝部１３ｂのコネクタ１０側の端部に形成される係止部１３ｃに係止される。本実施形態では、コネクタ１０，１１の嵌合位置（嵌合量）を、これら爪状突起部１２ｂおよび係止部１３ｃの係止によって規定することができる。
【００３２】
コネクタ１０，１１の嵌合位置（嵌合量）は、係合部１５と被係合部１４との係合によって規定することもできる。ただし、本実施形態では、係合部１５および被係合部１４は、ＨＤＤユニット９が凹部８から離脱するのを規制する方向（Ｚ方向）の係合を主たる目的として設けられており、コネクタ１０，１１の嵌合位置（嵌合量）は、主として爪状突起部１２ｂと係止部１３ｃとの係合によって規定される。爪状突起部１２ｂおよび係止部１３ｃの平面視での幅は被係合部１４および係合部１５の幅より大きく、爪状突起部１２ｂおよび係止部１３ｃの平面状の部分同士が突き当たるため、コネクタ１０，１１が傾いた状態で嵌合されるのを抑制することができる。
【００３３】
そして、コネクタ１１がコネクタ１０に装着されるまでＨＤＤユニット９がＸ方向のコネクタ１０側に移動されると、図９に示すように、平面視で、貫通部としての切欠１２ａから被固定部としての雌ねじ孔１９が露出する。したがって、この状態で、雌ねじ孔１９に固定具としてのねじ１８が取り付けられることで、段部１３（筐体２ａ）に、ブラケット部１２および蓋部材１７が固定される。また、本実施形態では、図８の状態では、雌ねじ孔１９はブラケット部１２によって塞がれ、図９の状態、すなわちＨＤＤユニット９が凹部８に所定の状態に収容され、コネクタ１１がコネクタ１０に所定の状態に装着された状態となった時点で、切欠１２ａから雌ねじ孔１９が露出する。したがって、ＨＤＤユニット９が凹部８に収容されているものの正しい装着状態となっていない状態で、ねじ１８によって蓋部材１７が取り付けられるのを抑制することができる。
【００３４】
また、図９に示すように、本実施形態では、平面視で、貫通部としての切欠１２ａは、ＨＤＤユニット９のコネクタ１０，１１の装着方向（Ｘ方向）に沿う中心線ＣＬ上に配置されている。仮に、ブラケット部１２のＨＤＤユニット９の短手方向（Ｙ方向）の中心部から当該短手方向の一方側にずれた位置を段部１３（筐体２ａ）に固定した場合、他方側では、ブラケット部１２と段部１３との間で隙間が大きくなったり、固定点からのモーメントアームが大きくなって振動が生じやすくなったりすることが懸念される。この点、本実施形態によれば、ブラケット部１２のＨＤＤユニット９の短手方向（Ｙ方向）の中心部に近い位置を段部１３（筐体２ａ）に固定することができるため、中心部から遠い位置を固定した場合に比べて、より安定的に固定することができる。
【００３５】
また、本実施形態では、ガイド部としてのスリット１６は、中心線ＣＬからＹ方向一方側（図９では上側）にずらして配置されるとともに、コネクタ１１（の幅方向（Ｙ方向）の中心Ｍ）は、中心線ＣＬからＹ方向他方側（奥行方向手前側、図９では下側）にずらして配置されている。ねじ１８で固定されていない仮保持の状態（特に、コネクタ１０，１１がしっかりと嵌合されていない状態）では、ＨＤＤユニット９は、主として、被係合部１４と係合部１５との係合箇所とコネクタ１０，１１の嵌合箇所との二箇所で、筐体２ａに支持される。このとき、仮に、スリット１６とコネクタ１１とがいずれも中心線ＣＬに対してＹ方向の一方側にずれていたとすると、上記二箇所の支持点に対してＹ方向の他方側の質量が増えるため、ＨＤＤユニット９が筐体２ａに対して傾くなど、筐体２ａに対するＨＤＤユニット９の姿勢が不安定になりやすい。この点、本実施形態によれば、スリット１６とコネクタ１１が中心線ＣＬに対して相異なる側にずらして配置されているため、上記質量の偏りを抑制することができ、ＨＤＤユニット９を筐体２ａに対してより安定的な状態で仮保持することができる。なお、本実施形態では、平面視では、ＨＤＤユニット９のＸ方向に沿う中心線ＣＬは、凹部８のＸ方向に沿う中心線ＣＬと一致している。
【００３６】
また、ＨＤＤユニット９が段部１３（筐体２ａ）に固定された状態では、図９に示すように、段部１３とＨＤＤユニット９のコネクタ１１の反対側の側面９ｅとの間に、ブラケット部１２の易変形部Ｅが配置される。したがって、段部１３からブラケット部１２を介してＨＤＤ２２に入力される荷重を、易変形部Ｅの変形（弾性変形あるいは塑性変形）によって吸収し、ＨＤＤ２２の保護性を高めることができる。
【００３７】
また、ＨＤＤユニット９が段部１３（筐体２ａ）に固定された状態では、図９に示すように、ブラケット部１２と弾性接触部２０の先端部２０ｂとが接触する。したがって、ブラケット部１２を導電性を有する材料（例えば金属材料等）で構成しておくことで、ＨＤＤユニット９と第一の本体部２とでグラウンド電位の差を減らすことができ、グラウンド電位の差によって生じる不都合（例えばノイズの発生等）を回避することができる。
【００３８】
＜本体部の内部構成＞
図１０に示すように、第一の本体部２の下部筐体２Ｄ（筐体２ａ）内には、複数の電子部品２６や、電子部品２６が実装された基板２５等が収容され、いずれも下部筐体２Ｄに固定されている。図１０の右下側には、凹部８を形成する矩形状の底壁２ｅが示されている。本実施形態では、凹部８の底壁２ｅや側壁等は、下部筐体２Ｄの一部として構成されている。そして、本実施形態では、コネクタ１０が、基板２５の縁の一部に固定されている。仮に、コネクタ１０が基板２５にハーネスを介して接続されている構成では、ＨＤＤユニット９の支持状態がやや不安定となる。この点、本実施形態では、コネクタ１０が基板２５にしっかりと固定されているため、コネクタ１０によってＨＤＤユニット９をより安定的に支持することができる。
【００３９】
＜変形例＞
また、図１１に示す変形例では、段部１３の頂面１３ａをなす天壁１３ｄに、コネクタ１０，１１の装着方向に沿って伸びるガイド部としてのスリット２７が形成され、ブラケット部１２に、係合部２８としての切起爪部が形成されている。この場合、スリット２７のコネクタ１０側の端縁部が被係合部２９となる。この変形例によっても、ＨＤＤユニット９に対してコネクタ１１の反対側で筐体２ａに係合される構成（係合部２８および被係合部２９）を得ることができる。
【００４０】
以上、説明したように、本実施形態にかかる電子機器１は、部品としてのＨＤＤユニット９が収容される部品収容部としての凹部８が形成された第一の本体部２と、凹部８に臨む状態で第一の本体部２に設けられ、ＨＤＤユニット９の一端部に設けられたコネクタ１１が装着されるコネクタ１０と、第一の本体部２に設けられ、ＨＤＤユニット９の他端部に設けられた係合部１５と係合する被係合部１４と、を備えた。よって、コネクタ１０，１１の嵌合箇所と係合部１５および被係合部１４との係合箇所の二箇所で、ＨＤＤユニット９を第一の本体部２により安定的に支持することができる。また、かかる構成により、固定部としてのねじ１８が雌ねじ孔１９に取り付けられていない状態で、ＨＤＤユニット９を第一の本体部２により安定的に仮保持することができる。したがって、ＨＤＤユニット９の着脱作業時に、ＨＤＤユニット９が凹部８から離脱して、ＨＤＤユニット９が損傷したりするのを抑制することができる。そして、コネクタ１０，１１をＨＤＤユニット９の支持に利用する分、係合箇所を減らすことができ、装置構成をより小型化することができるとともに、製造コストの低減にも資することができる。
【００４１】
また、本実施形態では、コネクタ１０が第一の本体部２（本実施形態では基板２５）に固定されている。よって、相互に嵌合するコネクタ１０，１１によって、ＨＤＤユニット９をより安定的に支持することができる。また、コネクタ１０を第一の本体部２に固定したため、固定されていない場合に比べて、ＨＤＤユニット９を第一の本体部２にガイドされた状態で移動させることで、コネクタ１１をコネクタ１０により容易にかつより確実に嵌合することができる。
【００４２】
また、本実施形態では、第一の本体部２は、筐体２ａと、筐体２ａに形成された凹部８の開口部を覆う蓋部材１７と、を備え、蓋部材１７が、固定具としてのねじ１８によってＨＤＤユニット９とともに第一の本体部２に取り付けられた。よって、蓋部材１７とＨＤＤユニット９とを第一の本体部に別個の固定具を用いて固定する場合に比べて、部品点数を減らすことができ、ひいては、製造コストをより低減することができる。
【００４３】
また、本実施形態では、凹部８が、筐体２ａの外面としての底面２ｄの曲がった部分に開口し、蓋部材１７が筐体２ａに取り付けられた状態で、蓋部材１７の外面１７ａが、底面２ｄに連なる曲がった形状を呈する。よって、蓋部材１７が屈曲した形状となって、剛性を高めることができる。また、蓋部材１７のみに屈曲部分を形成する構成に比べて、外観上の違和感を減らして、美観の向上を図ることができる。
【００４４】
また、本実施形態では、凹部８には、当該凹部８の一端側に配置されたコネクタ１０の他端側に、ＨＤＤユニット９の係合部１５が設けられたブラケット部１２に当接するとともに被係合部１４が形成されたブラケット接触部としての段部１３が形成された。よって、コネクタ１０，１１の反対側に設けたブラケット部１２と段部１３とを利用して、被係合部１４および係合部１５を、比較的簡素な構成として得ることができる。また、段部１３ならびにブラケット部１２に被係合部１４や係合部１５等の機能部を設けることで、これら機能部を凹部８の開口縁８ｅ側に近付けて配置することができるため、これら機能部が凹部８の奥側に配置された場合に比べてＨＤＤユニット９の取り扱いが容易になり、着脱作業等をより容易に行うことができるようになる。
【００４５】
さらに、ブラケット部１２および段部１３を利用して、ＨＤＤユニット９を装着方向にガイドする機能や、ＨＤＤユニット９を第一の本体部２に固定する機能、コネクタ１１のコネクタ１０への差込量を規制する機能、ＨＤＤユニット９と第一の本体部２とでグラウンド電位を共通とする機能、ＨＤＤユニット９への衝撃入力を緩和する機能等を実現する構成（機能部）を、比較的簡素な構成として得ることができる。また、ブラケット部１２が金属材料等の熱伝導性の比較的高い材料によって形成されることで、ＨＤＤユニット９からの放熱性を高めることができるという利点もある。
【００４６】
また、本実施形態では、ブラケット部１２に、コネクタ１１とコネクタ１０との装着方向に沿って被係合部１４を相対的にガイドするガイド部としてのスリット１６が形成された。また、変形例では、段部１３に、コネクタ１１とコネクタ１０との装着方向に沿って係合部２８を相対的にガイドするガイド部としてのスリット２７が形成された。したがって、ブラケット部１２および段部１３を利用して、コネクタ１１がコネクタ１０に差し込まれるまでＨＤＤユニット９を第一の本体部２に対して相対移動させる構成を、比較的簡素な構成として得ることができる。特に、上記実施形態では、ブラケット部１２を平板状に形成することで、ガイド部を、ブラケット部１２を表裏に貫通するスリット１６として比較的容易に構成することができる上、そのスリット１６の長手方向の端縁部を係合部１５として用いることができる。
【００４７】
また、本実施形態では、ブラケット部１２に、当該ブラケット部１２をブラケット接触部としての段部１３上に取り付ける固定具としてのねじ１８が貫通する貫通部としての切欠１２ａが形成され、切欠１２ａが、部品本体部としてのＨＤＤ２２の厚さ方向の視線で、装着方向に沿うＨＤＤ２２の中心線ＣＬにガイド部としてのスリット１６よりも近付けて配置された。よって、固定具が貫通する貫通部としての切欠１２ａが中心線ＣＬからよりずれた位置に配置された場合に比べて、ＨＤＤユニット９を第一の本体部２により安定的に固定することができる。
【００４８】
また、本実施形態では、厚さ方向からの視線で、スリット１６が中心線ＣＬから一方側にずらして配置され、コネクタ１１が中心線ＣＬから他方側にずらして配置された。よって、ＨＤＤユニット９を第一の本体部２により安定的に支持する（仮保持する）ことができる。なお、ずらす方向は本実施形態の例とは逆にしてもよい。
【００４９】
また、本実施形態では、ＨＤＤユニット９は、部品本体部としてのＨＤＤ２２の少なくとも一部を外側から囲うフレーム２３を備え、ブラケット部１２が、フレーム２３に一体化されている。よって、フレーム２３とブラケット部１２とを別個にＨＤＤ２２に取り付けた場合に比べて、構成をより簡素化することができる。また、ＨＤＤユニット９の剛性を高めることができる。
【００５０】
また、本実施形態では、ＨＤＤユニット９が第一の本体部２に固定された状態で、ブラケット部１２の段部１３に当接する部分と部品本体部としてのＨＤＤ２２との間となる部分に、作用した荷重によって相対的に変形しやすい易変形部Ｅが形成された。よって、段部１３からブラケット部１２を介してＨＤＤ２２に入力される荷重を、易変形部Ｅの変形（弾性変形あるいは塑性変形）によって吸収し、ＨＤＤ２２の保護性を高めることができる。なお、易変形部としては、厚みを薄くした部分を線状に形成したり、凹溝状に形成したり、貫通孔や凹部を複数線状に並べたりすることで得ることも可能である。
【００５１】
以上、本発明の好適な実施形態について説明したが、本発明は上記実施形態には限定されず、種々の変形が可能である。例えば、本発明は、ＨＤＤユニット以外の部品に対しても実施することができる。また、部品や、部品収容部、ブラケット部、段部（ブラケット接触部）、係合部、被係合部、ガイド部、貫通部等の、位置や、大きさ、形状、構造等のスペックも、適宜に変更することができる。また、第二のコネクタは、基板にハーネス等を介して接続されていてもよい。ただし、その場合、ハーネスが部品を支持できる程度に本体部に比較的強固に固定されていることが望ましい。
【産業上の利用可能性】
【００５２】
以上のように、本発明は、部品が着脱可能に取り付けられる電子機器および当該部品として、有用である。
【符号の説明】
【００５３】
１…電子機器、２…第一の本体部（本体部）、２ａ…筐体、２ｄ…底面（外面）、８…凹部（部品収容部）、８ｅ…開口縁（開口部）、９…ＨＤＤユニット（部品）、１０…（第二の）コネクタ、１１…（第一の）コネクタ、１２…ブラケット部、１２ａ…切欠（貫通部）、１３…段部、１４…被係合部、１５…係合部、１６…スリット（ガイド部）、１８…ねじ（固定具）、２３…フレーム、ＣＬ…中心線、Ｅ…易変形部。
【図１】
2011138203.tif 000003
【図２】
2011138203.tif 000004
【図３】
2011138203.tif 000005
【図４】
2011138203.tif 000006
【図５】
2011138203.tif 000007
【図６】
2011138203.tif 000008
【図７】
2011138203.tif 000009
【図８】
2011138203.tif 000010
【図９】
2011138203.tif 000011
【図１０】
2011138203.tif 000012
【図１１】
2011138203.tif 000013
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
第一コネクタが設けられた一端部と、この一端部とは反対側に位置されブラケット部が設けられた他端部と、を有したモジュールと、
前記モジュールが収容された収容部が設けられた筐体と、
前記筐体に設けられ、前記第一コネクタと接続された第二コネクタと、
前記ブラケット部に設けられ、前記第一コネクタと前記第二コネクタとの接続方向に沿ったスリット部と、
前記筐体に設けられ、前記接続方向に前記モジュールが移動される際に前記スリット部にガイドされ、該スリット部の長手方向端部と係合されたフック部と、
を備えた、電子機器。
【請求項２】
前記ブラケット部に、当該ブラケット部を前記筐体に取り付ける固定具が貫通する貫通部が設けられ、
前記貫通部が、前記モジュールの厚さ方向の視線で、前記接続方向に沿う前記モジュールの中心線に対して前記スリット部よりも近くに位置された、請求項１に記載の電子機器。
【請求項３】
前記厚さ方向の視線で、前記スリット部が前記中心線から一方側にずらして位置され、前記第一コネクタが前記中心線から他方側にずらして位置された、請求項２に記載の電子機器。
【請求項４】
前記収容部が前記筐体に凹部として設けられ、
前記凹部の前記第二コネクタの反対側に、前記ブラケット部が当接する段部が設けられ、
前記段部に、前記フック部が設けられた、請求項１〜３のうちいずれか一つに記載の電子機器。
【請求項５】
前記収容部は、前記筐体の外面の曲がった部分に開口し、
前記筐体に設けられた前記収容部の開口部を覆う覆部が前記筐体に取り付けられた状態で、前記覆部の外面が、前記筐体の外面に連なる曲がった形状を呈した、請求項１〜４のうちいずれか一つに記載の電子機器。
【請求項６】
前記モジュールは、前記モジュールの本体部の少なくとも一部を外側から囲うフレームを備え、
前記ブラケット部が、前記フレームに一体化された、請求項１〜５のうちいずれか一つに記載の電子機器。
【請求項７】
前記モジュールが前記筐体に固定された状態で、前記ブラケット部の前記筐体に当接する部分と前記本体部との間となる部分に、作用した荷重によって相対的に変形しやすい易変形部が設けられた、請求項６に記載の電子機器。
【請求項８】
第一コネクタとブラケット部とを有したモジュールと、
前記モジュールが収容された収容部が設けられた筐体と、
前記筐体に設けられ、前記第一コネクタと接続された第二コネクタと、
前記筐体に設けられた係合部と、
前記ブラケット部に設けられ、前記係合部と端部で係合され、前記第一コネクタと前記第二コネクタとの接続方向に前記係合部をガイドするガイド部と、
を備えた、電子機器。
【手続補正３】
【補正対象書類名】明細書
【補正対象項目名】０００１
【補正方法】変更
【補正の内容】
【０００１】
本発明の実施形態は、電子機器に関する。
【手続補正４】
【補正対象書類名】明細書
【補正対象項目名】０００５
【補正方法】変更
【補正の内容】
【０００５】
そこで、本発明の実施形態は、より簡素な構成によってモジュールが収容部から離脱するのを抑制することが可能な電子機器を得ることを目的の一つとする。
【手続補正５】
【補正対象書類名】明細書
【補正対象項目名】０００６
【補正方法】変更
【補正の内容】
【０００６】
本発明の実施形態にかかる電子機器にあっては、モジュールと、筐体と、第二コネクタと、スリット部と、フック部と、を備えた。モジュールは、第一コネクタが設けられた一端部と、この一端部とは反対側に位置されブラケット部が設けられた他端部と、を有した。筐体には、モジュールが収容された収容部が設けられた。第二コネクタは、筐体に設けられ、第一コネクタと接続された。スリット部は、ブラケット部に設けられ、第一コネクタと第二コネクタとの接続方向に沿った。フック部は、筐体に設けられ、接続方向にモジュールが移動される際にスリット部にガイドされ、該スリット部の長手方向端部と係合された。
【手続補正６】
【補正対象書類名】明細書
【補正対象項目名】０００７
【補正方法】変更
【補正の内容】
【０００７】
本発明の実施形態によれば、一例として、より簡素な構成によってモジュールが収容部から離脱するのを抑制することができる。